(57)【要約】【課題】運搬時にガラス製の表面部材の意匠性が維持可能な冷蔵庫及びその梱包方法を提供する。【解決手段】表面にガラス製の表面部材を備え、前記表面部材の外表面に、剥離可能な易剥離性の保護部材が設けられていることを特徴とする、冷蔵庫とする。このとき、前記保護部材は、フィルム、紙又は撥水性材料であってもよい。また、前記表面部材は、ソーダライムガラスからなってもよい。さらに、これら冷蔵庫の梱包方法であって、前記冷蔵庫の前記表面部材の外表面に保護部材を設ける工程と、前記表面部材の外表面に、剥離可能な易剥離性の保護部材が設けられた冷蔵庫に袋を被せる工程と、前記袋が被せられた冷蔵庫を梱包する工程と、を有することを特徴とする、冷蔵庫の梱包方法とする。【選択図】図２
2014080210.tif 000002
【特許請求の範囲】
【請求項１】
冷蔵庫本体の表面にガラス製の表面部材を備え、
前記表面部材の外表面に、剥離可能な易剥離性の保護部材が設けられていることを特徴とする、冷蔵庫。
【請求項２】
前記保護部材は、フィルム、紙又は撥水性材料であることを特徴とする、請求項１に記載の冷蔵庫。
【請求項３】
前記表面部材は、ソーダライムガラスからなることを特徴とする、請求項１又は２に記載の冷蔵庫。
【請求項４】
請求項１〜３の何れか１項に記載の冷蔵庫の梱包方法であって、
前記冷蔵庫の前記表面部材の外表面に、剥離可能な易剥離性の保護部材を設ける工程と、
前記表面部材の外表面に保護部材が設けられた冷蔵庫に袋を被せる工程と、
前記袋が被せられた冷蔵庫を梱包する工程と、を有することを特徴とする、冷蔵庫の梱包方法。
【発明の詳細な説明】
【技術分野】
【０００１】
本発明は、冷蔵庫及びその梱包方法に関する。
【背景技術】
【０００２】
家庭用や業務用に用いられる冷蔵庫には、意匠性を高めるため、ガラスからなるガラス板が扉表面板に装着されることがある。このようなガラスとして、ソーダライムガラス、石英ガラス等が挙げられるが、安価であり、加工が容易である観点から、ソーダライムガラスが好ましく用いられる。ソーダライムガラスは、二酸化ケイ素からなるシリカ成分によりガラス骨格が維持され、この二酸化ケイ素以外に、例えば酸化ナトリウム、酸化カルシウム、酸化アルミニウム等の成分、着色目的から銅、鉄、ニッケル等の各種酸化物が配合されることがある。
【０００３】
製造された冷蔵庫の運搬中、冷蔵庫には、塵埃や水分等の異物が付着しないことが好ましい。そこで、冷蔵庫に異物が付着することを防止するために、特許文献１に記載の技術が知られている。特許文献１に記載の技術は、ダンボール等で形成され上面を開放した箱体の内部左右前後間に緩衝材を設け、冷蔵庫等の被梱包体を載置する底部箱体と、同底部箱体に載置された被梱包体の上部から被せる合成樹脂製の袋と、ダンボール等で形成され底面を開放した箱体の内部左右前後間に袋を被せた被梱包体の上部左右コーナー部を保護する緩衝材を設け、被梱包体の上部に被せる上部箱体とからなり、外周をバンドで締結するとともに、袋の裾を接着材等により底部箱体の側面に固着し、塵埃の侵入を防止するようにしたものである。
【先行技術文献】
【特許文献】
【０００４】
【特許文献１】特開２００２−５３１９４号公報
【発明の概要】
【発明が解決しようとする課題】
【０００５】
特許文献１に記載の技術により袋を被せて梱包した後、例えば船舶便で運搬されるとき、梱包された冷蔵庫が高温（例えば６０℃〜７０℃程度）や低温に晒されることがある。即ち、ガラス板を用いて冷蔵庫を構成した場合に、例えば運搬方法によっては、ガラス板が過度の温度変化に晒されることがある。
【０００６】
ここで、特許文献１に記載の技術においては、合成樹脂製の袋が冷蔵庫に単に被せられただけである。そのため、袋の開口端近傍と冷蔵庫の側面との間には隙間が存在し、このような隙間から異物が袋内に浸入し、ガラス板に付着することがある。従って、特許文献１に記載の技術においては、ガラス板に異物が付着する可能性がある状態で、過度の温度変化に晒されることになる。
【０００７】
特に、ガラス板に海水や結露水等が付着した場合、付着による影響が大きくなる。具体的には、このような場合には、ガラス板の構成成分であるシリカと、付着した海水や結露水中のナトリウム等のアルカリ金属等が反応することがある。そうすると、特にナトリウムがガラス板の内部に拡散し、ガラス板の表面の屈折率を変えてしまうことがある。これにより、ガラス板表面に白い模様が形成されてしまい、ガラス板や冷蔵庫の意匠性が低下することがある。
【０００８】
また、袋が被せられた冷蔵庫が過度の温度変化に晒されると、袋内の水蒸気が液化し、扉表面板に付着することがある。さらには、冷蔵庫は袋により覆われているため、袋内に侵入した海水等の異物が外部に排出されにくい。そのため、冷蔵庫に袋を被せることで塵埃等の付着を防ぐことができるものの、いったん袋内に海水等の異物が浸入すると、その異物が外部に排出されずにガラス板に付着して、ガラス板の意匠性を低下させることがあるという課題がある。
【０００９】
このように、特許文献１に記載の技術においては、例えば意匠性を高めるためにガラス板を用いているにもかかわらず、ガラス板表面に模様等が形成されて意匠性が低下することがある。従って、特許文献１に記載の技術は、ガラス製の表面部材の保護という観点では、依然として不十分な技術である。
【００１０】
本発明はこれらの課題に鑑みて為されたものであり、運搬時にガラス製の表面部材の意匠性が維持可能な冷蔵庫及びその梱包方法を提供することを課題とする。
【課題を解決するための手段】
【００１１】
本発明者らは前記課題を解決するべく鋭意検討した結果、ガラス製の表面部材の外表面に保護部材を設けることで前記課題を解決できることを見出した。
【発明の効果】
【００１２】
本発明によれば、運搬時にガラス製の表面部材の意匠性が維持可能な冷蔵庫及びその梱包方法を提供することができる。
【図面の簡単な説明】
【００１３】
【図１】本実施形態の冷蔵庫の正面図である。
【図２】図１のＡ−Ａ線断面図である。
【図３】本実施形態の冷蔵庫の製造方法及び梱包方法を示すフローである。
【図４】本実施形態の冷蔵庫の梱包方法における箱入工程を説明する図である。
【図５】本実施形態の冷蔵庫の梱包方法における封入工程を説明する図である。
【発明を実施するための形態】
【００１４】
以下、本発明を実施するための形態（本実施形態）を説明する。ただし、本実施形態は、以下の内容に何ら制限されず、本発明の要旨を損なわない範囲内で任意に変更して実施可能である。
【００１５】
［１．冷蔵庫の構成］
図１は、本実施形態の冷蔵庫の正面図である。図１に示す冷蔵庫１００は、冷蔵庫本体１の正面に、冷蔵室左扉２１と、冷蔵室右扉２２と、急速冷凍室扉３と、冷凍室扉４と、野菜室扉５とを備えている。冷蔵室左扉２１は、上ヒンジ６１及び下ヒンジ７１により、紙面手前方向に回転可能になっている。さらに、冷蔵室右扉２２は、上ヒンジ６２及び下ヒンジ７２により、紙面手前方向に回転可能になっている。即ち、冷蔵室左扉２１及び冷蔵室右扉２２は観音開き可能に備えられ、これらと冷蔵庫本体１とにより形成される空間に、冷蔵室（図示しない）が形成されている。
【００１６】
また、急速冷凍室扉３、冷凍室扉４及び野菜室扉５は紙面手前方向に引き出し可能になっている。そして、これらと冷蔵庫本体１とにより形成される空間に、それぞれ、急速冷凍室、冷凍室及び野菜室（いずれも図示しない）が形成されている。
【００１７】
なお、図１では図示していないが、冷蔵室左扉２１、冷蔵室右扉２２、急速冷凍室扉３、冷凍室扉４及び野菜室扉５の正面側には、ソーダライムガラス製の扉表面板（ガラス製の表面部材）が設けられ、意匠性が高められている。そして、この扉表面板の外側（即ち、正面側、紙面手前側、外表面）には、扉表面板に異物が付着しないように、保護シート（保護部材）が設けられている。扉表面板及び保護シートの詳細は、図２を参照しながら後記する。
【００１８】
図２は、図１のＡ−Ａ線断面図である。なお、図２では、図示の簡略化のために、冷蔵室右扉２２近傍のみを示し、一部の部材を示していない。
【００１９】
冷蔵室右扉２２は、ソーダライムガラス製の扉表面板８と、扉表面板８を覆うように（即ち、冷蔵庫１００の最外表面に）保護シート８ａとを備えている。即ち、扉表面板８は、冷蔵庫１００本体の表面に備えられているものである。なお、図示はしていないが、扉表面板８と断熱材１２（後記する）との間には、図示しない着色層や保護層等が設けられている。
【００２０】
扉表面板８は、サッシュ１０の端部１４に挟持固定されている。また、扉内板９は真空成型等により形成される樹脂製であり、扉内板９は図示しない冷蔵室に面している。また、扉内板９には、冷蔵室を気密にするためのガスケットを嵌めこむ取り付け部１３が設けられている。
【００２１】
扉表面板８と扉内板９との間には、ウレタン等の発泡断熱材からなる断熱材１２が設けられている。なお、断熱材１２は、サッシュ１０の端部１４にも充填されている。これにより、端部１４の内側と扉表面８との間に隙間が生じることが防止され、運搬時に海水や結露水等が付着した場合に、保護シート８ａが設けられていない部位にまで海水や結露水等が到達することが防止される。また、保護シート８ａを剥離した後、扉表面板８の清掃時に、拭き取りが困難な部位に水分等が端部１４の内側に到達することが防止される。
【００２２】
保護シート８ａは、扉表面板８の外表面に設けられるものである。保護シート８ａは樹脂製のフィルムである。扉表面板８の外表面に保護シート８ａが設けられることにより、扉表面板８に直接空気や海水、結露水等が接触することを防止することができる。そして、これにより、冷蔵庫１００の運搬中、扉表面板８に直接空気や海水、結露水等が接触することがないため、扉表面板８に模様等が形成されることがなく、扉表面板８の意匠性が維持される。
【００２３】
保護シート８ａを構成するフィルムとしては、吸湿性が低く、アウトガス（保護シートから揮発する成分）が少ないものが好ましい。このようなフィルムとして具体的には、例えば、ポリプロピレン、ポリエチレンテレフタレート、ポリブチレンテレフタレート等により構成されるフィルムが適用可能である。
【００２４】
［２．冷蔵庫の製造方法及び梱包方法］
次に、図３〜図５を参照しながら、本実施形態の冷蔵庫の製造方法及び梱包方法を説明する。
【００２５】
図３は、本実施形態の冷蔵庫の製造方法及び梱包方法を示すフローである。本実施形態の冷蔵庫１００は、冷蔵庫１００の外表面を構成する扉表面板８を準備する工程（ガラス準備工程）と、準備された扉表面板８表面に保護シート８ａを貼付する貼付工程と、保護シート８ａが貼付された扉表面板８を用いて冷蔵庫１００を組み立てる組立工程と、を経て製造される。このようにして製造された冷蔵庫１００における扉表面板８の表面には、保護シート８ａが設けられている。
【００２６】
次いで、このようにして製造された冷蔵庫１００に袋を被せる被袋工程と、袋が被せられた冷蔵庫１００を箱に収容する箱入工程と、冷蔵庫１００が収容された箱を封入する封入工程と、を経て、冷蔵庫１００が梱包される。
【００２７】
・ガラス準備工程
ガラス準備工程は、冷蔵庫１００の外表面を構成する、ガラス製の扉表面板８を準備する工程である。本実施形態においては、扉表面板８はソーダライムガラスからなり、扉表面板８の形状に加工されたガラス板が準備される。ここで、準備とは、ガラス板の製造や購入等である。
【００２８】
・貼付工程
貼付工程は、準備された扉表面板８表面に保護シート８ａを貼付する工程である。本工程において、保護シート８ａは、扉表面板８の表面の、図２に示した端部１４に噛み込まれない位置に貼付される。具体的には、扉表面板８の大きさよりも一回り程度小さな保護シート８ａが、扉表面板８の表面に貼付される。これにより、冷蔵庫１００の運搬中には扉表面板８の表面が保護されるとともに、使用者が使用する際には、使用者が保護シート８ａを剥離して冷蔵庫１００を使用することが可能となる。
【００２９】
また、保護シート８ａは、扉表面板８に対して剥離可能に貼付される。即ち、保護シート８ａは易剥離性のものである。具体的には、本実施形態における保護シート８ａは、例えば、保護シート８ａを容易に剥離可能とする接着剤を介して、扉表面板８に対して貼付される。これにより、使用者が、冷蔵庫の使用の際、保護シート８ａを容易に剥離することができる。
【００３０】
・組立工程
組立工程は、保護シート８ａが添付された扉表面板８を用いて冷蔵庫１００を組み立てる工程である。冷蔵庫１００の組立方法は任意であり、扉表面板８を用いて冷蔵庫１００が組み立てられるのであれば、どのような方法が用いられてもよい。これにより、保護シート８ａが設けられた扉表面板８を備える冷蔵庫１００が製造される。以上の工程が、冷蔵庫１００の製造工程である。
【００３１】
・被袋工程
被袋工程は、製造された冷蔵庫１００に袋を被せる工程である。本工程以降の工程は、冷蔵庫１００の梱包工程である。本工程においては、製造された冷蔵庫１００に対して、上方から例えばポリエチレン製の袋が覆われるようにして被せられる。これにより、冷蔵庫１００の運搬時や保管時に、冷蔵庫１００の側方や上方からの異物の侵入が防止される。ただし、冷蔵庫１００に対して、被せられる袋の大きさはある程度余裕をもたせている。そのため、冷蔵庫１００に被せられた袋の開口端近傍は冷蔵庫１００の側面に密着せず、袋の内外で空気の出入りが生じることになる。ただし、前記のように、扉表面板８の表面には保護シート８ａが設けられているため、仮に袋内に異物が侵入しても、扉表面板８の意匠性は低下しない。
【００３２】
・箱入工程
箱入工程は、袋が被せられた冷蔵庫１００を箱に収容する工程である。本工程について、図４を参照しながら説明する。
【００３３】
図４は、本実施形態の冷蔵庫の梱包方法における箱入工程を説明する図である。図４には、被袋工程において冷蔵庫１００に袋１５を被せて得られた被袋冷蔵庫１０１（図４（ａ））と、被袋冷蔵庫１０１を収容する箱１８（図４（ｂ））とを示している。図４（ａ）に示すように、被袋冷蔵庫１０１において、袋１５の外側から冷蔵庫１００の上方端部に嵌るようにして、２つの上部緩衝材１７が設けられている。また、冷蔵庫１００の下方端部に嵌るようにして、梱包用基台１６が設けられている。即ち、梱包用基台１６上には、袋１５が被せられた冷蔵庫１００が載置されている。
【００３４】
また、図４（ｂ）に示すように、箱１８の上方端には、４つのフラッパ１８ａが設けられている。フラッパ１８ａが折り畳まれることにより、箱１８の上方が閉塞されるようになっている。一方で、箱１８の下方端には、図４（ｂ）では示していないが、フラッパ等は設けられず、単に開口している。そのため、被袋冷蔵庫１０１の上方を、箱１８の下方から収容することで、箱１８内に被袋冷蔵庫１０１が収容されるようになっている。なお、図４（ａ）に示す梱包用基台１６と、図４（ｂ）に示す箱１８の下方端とは、図４では図示しないテープにより接続固定される。これにより、被袋冷蔵庫１０１が外部に露出することなく運搬や保管可能となる。
【００３５】
・封入工程
封入工程は、冷蔵庫１００が収容された箱を封入する工程である。本工程について、図５を参照しながら説明する。
【００３６】
図５は、本実施形態の冷蔵庫の梱包方法における封入工程を説明する図である。前記の箱入工程において、梱包用基台１６に載置された冷蔵庫１００（より具体的には、袋１６が被せられた冷蔵庫１００）が、箱１８に収容されている。そこで、本工程においては、箱１８を梱包用基台１６とともにテープ１９により封止し、冷蔵庫１００を箱１８内に封入する。このとき、フラッパ１８ａは折り畳まれている。これにより、冷蔵庫１００が、運搬や保管可能に梱包される。
【００３７】
［３．効果］
以上説明した本実施形態の冷蔵庫１００及びその梱包方法によれば、運搬時にガラス製の扉表面板の意匠性が維持可能な冷蔵庫及びその梱包方法を提供することができる。
【００３８】
具体的には、ガラス製の扉表面板８の外表面が保護シート８ａで覆われていることにより、海水や結露水、空気等の異物が扉表面板８に直接付着することがない。そのため、異物による扉表面板８の腐食や汚れを防止し、運搬や保管中に扉表面板８の意匠性を損なうことがない。
【００３９】
特に、例えば船舶による運搬等、冷蔵庫１００の運搬途中の雰囲気において温度差が大きい場合に、この効果は顕著となる。具体的には例えば、諸外国に本実施形態の冷蔵庫１００を輸出する際、冷蔵庫１００は、コンテナに収容されたうえで、このコンテナごと船舶に搭載されて、輸出（運搬）されることが考えられる。
【００４０】
この場合、船舶に搭載されたコンテナにおいては、温度差が大きいことがある。具体的には、例えば、昼間、冷蔵庫１００が収容されたコンテナが直射日光を受ける場所に置かれた場合（例えば６０℃〜７０℃程度になる）や、夜間、コンテナが風雨に晒されるような場所に置かれた場合等である。そして、このような環境においては、温度差が大きいために、ガラス板に結露水等が生じることがある。また、このような環境において、ガラス板に海水等の異物が付着した場合、ガラス板表面に模様等が発生し、意匠性が低下することがある。
【００４１】
そこで、本実施形態の冷蔵庫１００では、ガラス製の扉表面板８の外表面に、保護シート８ａが設けられている。これにより、扉表面板８の表面に、直接異物が接触することがない。そのため、扉表面板８の腐食や汚れが防止され、扉表面板８の意匠性が損なわれることがない。
【００４２】
また、例えば国内向け製品等、それほど大きな温度差の雰囲気に晒されない場合においては、保護シート等の保護部材を設けないことも考えられる。従って、例えば国内向けの製品では保護シート無しとし、外国向け製品では保護シート有りとすることができる。これらの場合、梱包工程や梱包材料を大きく異なるものとする必要が無いため、梱包の手間やコストを削減することができる。
【００４３】
また、図２を参照しながら説明したように、保護シート８ａは、端部１４に噛み込まれずに扉表面板８に設けられている。従って、使用者が開梱して冷蔵庫を使用する際に、特別な操作をすることなく、容易に保護シート８ａを剥離して、冷蔵庫を使用することができる。
【００４４】
さらに、図３を参照しながら説明したように、本実施形態の冷蔵庫の梱包方法においては、予め扉表面板８に保護シート８ａを設けてから冷蔵庫１００を組み立てている。そのため、平板状に構成される扉表面板８に保護シート８ａが設けられるため、組み立てられた後に設ける場合と比べて、保護シート８ａを設け易いという利点がある。
【００４５】
［４．変形例］
以上、本実施形態を説明したが、本実施形態は前記の内容に何ら制限されるものではなく、本発明の要旨を損なわない範囲で任意に変更して実施可能である。
【００４６】
例えば、前記の実施形態においては、保護部材として樹脂製のフィルムを用いたが、保護部材はこれに限られるものではない。即ち、保護部材を構成する材料は、例えば紙であってもよい。特に、保護部材として紙を用いる場合、ガラス製の扉表面板に直接海水等の異物が接触することがないため、扉表面板の意匠性が著しく低下することがない。
【００４７】
また、保護部材を構成する材料としては、例えば撥水性材料とすることができる。具体的には、保護部材としてグリスや油脂、フッ素樹脂等の撥水性材料を扉表面板に塗布することで、扉表面板に保護部材を設けるようにしてもよい。中でも、拭き取り可能な撥水性材料を扉表面板の表面に塗布するようにすれば、運搬や保管時の環境に応じて、扉表面板における所望の部分のみに容易に保護部材を設けることができる。これにより、開梱時の保護部材の処理が容易になる。このことは、保護部材として例えば紙等を用いた場合も同様である。また、拭き取り可能な保護部材を設けることで、図３を参照しながら説明した貼付工程において、端部１４の噛み込まれる部分（図２参照）を考慮する必要が無い。そのため、位置合わせ等が不要となり、冷蔵庫１００の製造が容易になる。
【００４８】
さらに、保護部材の形態はシート状やフィルム状に何ら限られず、どのようなものであってもよい。さらに、扉表面板に対する保護部材の固定方法は如何様にもでき、例えば、保護部材の全面又は一部（例えば保護部材の外周近傍）に接着材を塗布し、これにより、扉表面板に固定されるようにしてもよい。
【００４９】
また、図３においては、ガラス準備工程と貼付工程とを別々に行っているが、ガラス準備工程と貼付工程とを同時に行ってもよい。即ち、例えばガラスを製造する工程の中で、保護部材を表面に設けるようにしてもよい。さらには、図３においては、貼付工程の後に組立工程が行われているが、組立工程を先に行い、次いで貼付工程が行われるようにしてもよい。即ち、冷蔵庫を組み立てた後に、扉表面板の表面に保護部材を設けるようにしてもよい。このように、図３に示す順番は一例であり、任意に順番を変更して実施可能である。
【００５０】
また、前記の実施形態においては、扉表面板としてソーダライムガラスを用いているが、扉表面板を構成するガラスはソーダライムガラスに何ら限定されるものではない。具体的には、扉表面板を構成するガラスとして、例えば石英ガラス等も適用可能である。ただし、海水等により意匠性が低下する可能性がより高いという観点から、扉表面板を構成するガラスはソーダライムガラスであることが好ましい。ソーダライムガラスにより扉表面板を構成することで、扉表面板の意匠性低下をより効果的に防止することができる。
【００５１】
さらに、冷蔵庫本体の表面に備えられるガラス製の表面部材は、前記の実施形態で例示した扉表面板８に何ら限られるものではない。従って、ガラス製の表面部材であれば、どのような部材でも、前記の実施形態と同様にして、保護部材を設けることができる。
【符号の説明】
【００５２】
１  冷蔵庫本体
２１  冷蔵室左扉
２２  冷蔵室右扉
８  扉表面板
８ａ  保護シート（保護部材）
１００  冷蔵庫
【図１】
2014080210.tif 000003
【図２】
2014080210.tif 000004
【図３】
2014080210.tif 000005
【図４】
2014080210.tif 000006
【図５】
2014080210.tif 000007